(57)【要約】  食付き部２４におけるおねじのねじ山１８の山頂部分に断面三角形状の尖り山４０が設けられているため、ねじ山１８が被加工物の下穴の内壁表層部に食い込み易くなり、タッピング加工時のトルクおよびスラスト荷重が低減される。また、尖り山４０の一対の側面４２、４４は、ねじ山１８のフランク角α１、α２よりも大きな傾斜角度β１、β２で傾斜させられているため、その一対の側面４２、４４が互いに交わる先端部４６の角度（内角）は、フランク３０、３２をそのまま延長した場合よりも大きくなり、山頂部分の強度不足による欠損等が抑制される。すなわち、ねじ山１８の山頂部分の強度を確保しつつ、タッピング加工時のトルクおよびスラスト荷重を低減して、摩耗等による工具寿命の低下を抑制することができる。
2019229932.tif 000002
【特許請求の範囲】
【請求項１】
完全山部と、該完全山部に連続して設けられ且つ先端に向かうに従って小径となる食付き部とを有するとともに、それ等の完全山部および食付き部には突出部と逃げ部とが交互に形成されたおねじが設けられている盛上げタップにおいて、
前記おねじのねじ山は、タップ軸線と平行な断面である軸平行断面において該タップ軸線方向の両側に位置する一対のフランクが所定のフランク角で傾斜させられた断面三角形状を成しているとともに、
少なくとも前記食付き部における前記ねじ山の山頂部分には、前記軸平行断面において前記タップ軸線方向の両側に位置する一対の側面がそれぞれ前記フランク角よりも大きな傾斜角度で傾斜させられた断面三角形状の尖り山が設けられている
ことを特徴とする盛上げタップ。
【請求項２】
前記尖り山の前記一対の側面の傾斜角度は何れも４０°〜８０°の範囲内である
ことを特徴とする請求項１に記載の盛上げタップ。
【請求項３】
前記尖り山の前記一対の側面が互いに交わる先端部の内角は、８０°〜１６０°の範囲内である
ことを特徴とする請求項１または２に記載の盛上げタップ。
【請求項４】
前記尖り山の前記一対の側面の傾斜角度は互いに等しい
ことを特徴とする請求項１〜３の何れか１項に記載の盛上げタップ。
【請求項５】
前記尖り山の前記一対の側面はそれぞれ前記一対のフランクに直接連結されている
ことを特徴とする請求項１〜４の何れか１項に記載の盛上げタップ。
【請求項６】
前記尖り山の前記一対の側面が互いに交わる先端部には前記軸平行断面において丸みが付けられている
ことを特徴とする請求項１〜５の何れか１項に記載の盛上げタップ。
【請求項７】
前記尖り山は、前記食付き部における前記ねじ山にだけ設けられており、前記完全山部における前記ねじ山の山頂は、目的とするめねじの谷底形状に対応する形状とされている
ことを特徴とする請求項１〜６の何れか１項に記載の盛上げタップ。
【発明の詳細な説明】
【技術分野】
【０００１】
本発明は盛上げタップに係り、特に、めねじをタッピング加工する際のトルクを低減する技術に関するものである。
【背景技術】
【０００２】
完全山部と、その完全山部に連続して設けられ且つ先端に向かうに従って小径となる食付き部とを有するとともに、それ等の完全山部および食付き部には突出部と逃げ部とが交互に形成されたおねじが設けられ、被加工物に設けられた下穴内にその食付き部側からねじ込まれることにより、前記おねじの突出部が下穴の内壁表層部に食い込んで塑性変形させ、めねじを成形する盛上げタップが知られている（特許文献１、２参照）。
【先行技術文献】
【特許文献】
【０００３】
【特許文献１】特開２００７−３１３５７５号公報
【特許文献２】特許第３８２２５７２号公報
【発明の概要】
【発明が解決しようとする課題】
【０００４】
ところで、このような盛上げタップは、おねじのねじ山を被加工物に設けられた下穴の内壁表層部に食い込ませて塑性変形させるため、タッピング加工時に大きなトルク（回転抵抗）が発生し、加工条件によっては摩耗等により十分な工具寿命が得られない場合があった。【０００５】
本発明は以上の事情を背景として為されたもので、その目的とするところは、タッピング加工時のトルクを低減して摩耗等による工具寿命の低下を抑制することにある。
【課題を解決するための手段】
【０００６】
かかる目的を達成するために、第１発明は、完全山部と、その完全山部に連続して設けられ且つ先端に向かうに従って小径となる食付き部とを有するとともに、それ等の完全山部および食付き部には突出部と逃げ部とが交互に形成されたおねじが設けられている盛上げタップにおいて、(a) 前記おねじのねじ山は、タップ軸線と平行な断面である軸平行断面においてそのタップ軸線方向の両側に位置する一対のフランクが所定のフランク角で傾斜させられた断面三角形状を成しているとともに、(b) 少なくとも前記食付き部における前記ねじ山の山頂部分には、前記軸平行断面において前記タップ軸線方向の両側に位置する一対の側面がそれぞれ前記フランク角よりも大きな傾斜角度で傾斜させられた断面三角形状の尖り山が設けられていることを特徴とする。【０００７】
第２発明は、第１発明の盛上げタップにおいて、前記尖り山の前記一対の側面の傾斜角度は何れも４０°〜８０°の範囲内であることを特徴とする。【０００８】
第３発明は、第１発明または第２発明の盛上げタップにおいて、前記尖り山の前記一対の側面が互いに交わる先端部の内角は、８０°〜１６０°の範囲内であることを特徴とする。【０００９】
第４発明は、第１発明〜第３発明の何れかの盛上げタップにおいて、前記尖り山の前記一対の側面の傾斜角度は互いに等しいことを特徴とする。【００１０】
第５発明は、第１発明〜第４発明の何れかの盛上げタップにおいて、前記尖り山の前記一対の側面はそれぞれ前記一対のフランクに直接連結されていることを特徴とする。【００１１】
第６発明は、第１発明〜第５発明の何れかの盛上げタップにおいて、前記尖り山の前記一対の側面が互いに交わる先端部には前記軸平行断面において丸みが付けられていることを特徴とする。【００１２】
第７発明は、第１発明〜第６発明の何れかの盛上げタップにおいて、前記尖り山は、前記食付き部における前記ねじ山にだけ設けられており、前記完全山部における前記ねじ山の山頂は、目的とするめねじの谷底形状に対応する形状とされていることを特徴とする。
【発明の効果】
【００１３】
このような盛上げタップにおいては、少なくとも食付き部におけるおねじのねじ山の山頂部分に断面三角形状の尖り山が設けられているため、ねじ山が被加工物の下穴の内壁表層部に食い込み易くなり、タッピング加工時のトルクが低減される。また、尖り山の一対の側面は、ねじ山のフランク角よりも大きな傾斜角度で傾斜させられているため、その一対の側面が互いに交わる先端部の角度（内角）は、フランクをそのまま延長した場合よりも大きくなり、山頂部分の強度不足による欠損等が抑制される。すなわち、ねじ山の山頂部分の強度を確保しつつ、タッピング加工時のトルクを低減して、摩耗等による工具寿命の低下を抑制することができる。また、このようにタッピング加工時のトルクが低減されることにより、盛上げタップを回転に同期して軸線方向へリード送りする際のスラスト荷重も低減される。【００１４】
第２発明は、尖り山の一対の側面の傾斜角度が何れも４０°〜８０°の範囲内であるため、ねじ山の山頂部分の強度を確保しつつタッピング加工時のトルクを低減する、という効果が適切に得られる。すなわち、加工条件（めねじの材質など）によって異なるが、一対の側面の傾斜角度が４０°より小さいと、尖り山の先端部の強度が不足して欠損等が生じ易くなる一方、一対の側面の傾斜角度が８０°を超えると、尖り山の存在に拘らずねじ山の山頂部分が軸平行断面において平坦（直線）に近くなり、タッピング加工時のトルクを低減する効果が十分に得られなくなる可能性がある。【００１５】
第３発明は、尖り山の一対の側面が互いに交わる先端部の内角が８０°〜１６０°の範囲内であるため、ねじ山の山頂部分の強度を確保しつつタッピング加工時のトルクを低減する、という効果が適切に得られる。すなわち、加工条件（めねじの材質など）によって異なるが、尖り山の先端部の内角が８０°より小さいと、尖り山の先端部の強度が不足して欠損等が生じ易くなる一方、先端部の内角が１６０°を超えると、尖り山自体が軸平行断面において平坦（直線）に近くなり、タッピング加工時のトルクを低減する効果が十分に得られなくなる可能性がある。この場合は、一対の側面の傾斜角度が何れも４０°〜８０°の範囲内である必要はなく、一方の側面の傾斜角度が４０°より小さい場合や、８０°を超えている場合でも、先端部の内角が８０°〜１６０°の範囲内となるように他方の側面の傾斜角度が定められれば良い。【００１６】
第４発明は、尖り山の一対の側面の傾斜角度が互いに等しい場合で、ねじ山が被加工物の下穴の内壁表層部に食い込んでめねじを成形する際に、内壁表層部の肉（めねじ材料）が尖り山を挟んで両側へ略均等に流動させられるようになり、タッピング加工時のトルクが適切に低減される。また、このように内壁表層部の肉が略均等に両側、すなわちタップ軸線方向の両側へ流動させられることと、タッピング加工時のトルクが低減されることと相まって、盛上げタップを回転に同期して軸線方向へリード送りする際のスラスト荷重が適切に低減される。【００１７】
第５発明は、尖り山の一対の側面がそれぞれ一対のフランクに直接連結されている場合、言い換えれば尖り山が一対のフランクに連続して設けられている場合で、例えば尖り山とフランクとの間に中間の傾斜角度の傾斜面等が設けられる場合に比較して、尖り山の先端部の内角を小さくでき、タッピング加工時のトルクを適切に低減できる。【００１８】
第６発明は、尖り山の一対の側面が互いに交わる先端部に丸みが付けられているため、先端部の強度が高くなって欠損等が抑制される。尖り山の先端部の丸みが大きいと、被加工物の下穴の内壁表層部に食い込む際の抵抗が大きくなり、タッピングトルクが大きくなって工具寿命が低下する恐れがあるため、丸みの大きさや有無は、所定の工具寿命が得られるように、尖り山の先端部の内角等を考慮して定められる。【００１９】
第７発明は、食付き部におけるねじ山にだけ尖り山が設けられ、完全山部のねじ山の山頂は、目的とするめねじの谷底形状に対応する形状とされているため、食付き部の尖り山によりタッピング加工時のトルクを低減しつつ、完全山部によって目的とするめねじの谷底形状に適切に成形することができる。
【図面の簡単な説明】
【００２０】
【図１】本発明の一実施例である盛上げタップを説明する図で、タップ軸線Ｏと直角方向から見た正面図である。
【図２】図１の盛上げタップのねじ部を拡大して示した正面図である。
【図３】図２における III− III矢視部分でねじ山のつる巻き線に沿って切断した軸直角断面図である。
【図４】図１の盛上げタップの食付き部におけるおねじのねじ山の軸平行断面図である。
【図５】図１の盛上げタップの完全山部におけるおねじのねじ山の軸平行断面図である。
【図６】図１の盛上げタップを含む複数の試験品を用いてタッピング加工を行なった際の加工条件を説明する図である。
【図７】図６の加工条件に従ってタッピング加工を行なった際のトルクおよびスラスト荷重の測定結果を説明する図である。
【図８】図１の盛上げタップを含む複数の試験品を用いて、図６とは異なる材質の被加工物に対してタッピング加工を行なった際の加工条件を説明する図である。
【図９】図８の加工条件に従ってタッピング加工を行なった際のトルクおよびスラスト荷重の測定結果を説明する図である。
【図１０】図６、図８の加工条件に従ってタッピング加工を行なった際のトルクおよびスラスト荷重の変化特性の一例を示した図である。
【図１１】本発明の他の実施例を説明する図で、図４に対応する食付き部におけるおねじのねじ山の軸平行断面図である。
【図１２】本発明の更に別の実施例を説明する図で、図４に対応する食付き部におけるおねじのねじ山の軸平行断面図である。
【図１３】本発明の更に別の実施例を説明する図で、図４に対応する図であり、尖り山付近を拡大して示した軸平行断面図である。
【図１４】本発明の更に別の実施例を説明する図で、図４に対応する図であり、尖り山付近を拡大して示した軸平行断面図である。
【図１５】本発明の更に別の実施例を説明する図で、図２に対応するねじ部の正面図である。
【発明を実施するための形態】
【００２１】
本発明の盛上げタップは、被加工物に設けられた下穴内に食付き部側からねじ込まれることにより、おねじに設けられた突出部がその下穴の内壁表層部に食い込んで塑性変形させることによりめねじを成形するように用いられる。下穴を加工するドリルやリーマ等をタップの先端側に一体的に設けることもできるし、めねじの内径を仕上げるための内径仕上げ刃を一体に設けることもできるなど、種々の態様が可能である。１条ねじを加工する盛上げタップだけでなく、２条以上の多条ねじを加工する盛上げタップにも適用され得る。
【００２２】
盛上げタップは、複数の突出部が軸心と平行に連続するように、軸心まわりに等間隔で３列以上設けられることが望ましいが、各列の突出部を軸心まわりにねじれた螺旋状に連続するように設けることもできるし、軸心まわりに不等間隔で設けることもできるなど、種々の態様が可能である。必要に応じて、切削油剤を供給する油溝等がおねじを分断するように軸方向に設けられても良い。また、盛上げタップは切りくずを発生しないため、止り穴に対しても通り穴に対しても良好にタッピング加工を行なってめねじを成形することができる。
【００２３】
おねじのねじ山の一対のフランクのフランク角は共に３０°で、ねじ山の角度（全角）は６０°が一般的であるが、フランク角が３０°以外のねじ山や、一対のフランクのフランク角が互いに相違するねじ山を有する盛上げタップにも本発明は適用され得る。尖り山の一対の側面の傾斜角度は、それぞれフランク角よりも大きいことを条件として、何れも４０°以上が適当で４５°以上が望ましく、８０°以下が適当で７５°以下が望ましい。但し、一対の側面の傾斜角度を４０°未満、或いは８０°を超えて設定することも可能で、加工条件等（めねじの材質など）に応じて適宜定めることができる。尖り山の先端部の内角は、８０°以上が適当で９０°以上が望ましく、１６０°以下が適当で１５０°以下が望ましい。但し、先端部の内角を８０°未満、或いは１６０°を超えて設定することも可能で、加工条件等（めねじの材質など）に応じて適宜定めることができる。その尖り山の一対の側面の傾斜角度は、例えば互いに等しい大きさに設定されるが、互いに異なる傾斜角度で設けることもできる。また、尖り山は、例えば軸平行断面においてねじ山の中心線上に尖り山の先端部が位置するように設けられるが、尖り山の先端部がねじ山の中心線からずれるように、尖り山を設けることも可能である。
【００２４】
尖り山は、例えば軸平行断面において一対の側面がそれぞれ一対のフランクに直接連結されるように設けられるが、尖り山の一対の側面とフランクとの間に中間の傾斜角度の傾斜面等が設けられても良い。尖り山の先端部は、タッピング加工時のトルクを低減する上で可能な限り角張らせて設けることが望ましいが、所定の強度を確保する上で軸平行断面において所定の丸みを設けることもできる。尖り山の一対の側面とフランクとの連結部についても、角張らせて連結しても良いし所定の丸みを設けることもできる。
【００２５】
尖り山は、例えば食付き部におけるねじ山にだけ設けられ、完全山部におけるねじ山の山頂形状は、目的とするめねじの谷底形状に対応する形状、例えば軸平行断面において直線や円弧形状等とされるが、完全山部のねじ山にも、食付き部と同様に尖り山を設けることが可能である。その場合、盛上げ加工されためねじの溝底には、尖り山に対応するＶ字状の溝が形成されるため、必要に応じてタッピング加工後に切削加工や研削加工等により目的とする溝底形状に整形すれば良い。
【実施例】
【００２６】
以下、本発明の実施例を、図面を参照して詳細に説明する。なお、以下の実施例において、図は説明のために適宜簡略化或いは変形されており、各部の寸法比および形状等は必ずしも正確に描かれていない。【００２７】
図１は、本発明の一実施例である盛上げタップ１０を示す図で、タップ軸線Ｏと直角方向から見た正面図である。盛上げタップ１０は、図示しないチャックを介して主軸に取り付けられるシャンク１２と、めねじを盛上げ加工（転造加工）するためのねじ部１６とを、タップ軸線Ｏと同心に一体に備えている。図２は、ねじ部１６を拡大して示した正面図で、図３は、図２における III− III矢視部分でねじ部１６のねじ山１８に沿って切断した、タップ軸線Ｏと直角な軸直角断面図である。ねじ部１６は、外側へ湾曲した辺からなる多角形状、本実施例では略正八角形状の断面を成しているとともに、その外周面には、被加工物（めねじ素材）の下穴の表層部に食い込んで塑性変形させることによりめねじを盛上げ加工するおねじが設けられている。本実施例の盛上げタップ１０は１条ねじを加工するためのもので、おねじも１条ねじである。【００２８】
上記おねじのねじ山１８は、形成すべきめねじの谷の形状に対応した断面形状を成していて、そのめねじに対応するリード角のつる巻き線に沿って設けられているとともに、そのねじ山１８が径方向の外側へ突き出す８つの突出部２０と、その突出部２０に続いて小径となる逃げ部２２とが、ねじの進み方向に沿って交互に且つタップ軸線Ｏまわりにおいて４５°の等角度間隔で設けられている。すなわち、正八角形の各頂点部分がそれぞれ突出部２０であり、タップ軸線Ｏと平行に多数の突出部２０が連続して設けられるとともに、そのように軸方向に連続する多数の突出部２０の列がタップ軸線Ｏまわりに等角度間隔で８列設けられているのである。【００２９】
ねじ部１６はまた、タップ軸線Ｏ方向において径寸法が略一定の完全山部２６と、先端側へ向かうに従って小径となる食付き部２４とを備えている。食付き部２４では、おねじの外径、有効径、および谷径が互いに等しい一定の変化勾配で小径となるように径寸法が変化している。食付き部２４においても、図３と同様に略正八角形状を成していて、突出部２０および逃げ部２２を周方向において交互に備えている。図４は、食付き部２４におけるねじ山１８の軸平行断面図、すなわちタップ軸線Ｏと平行な断面図で、図５は、完全山部２６におけるねじ山１８の軸平行断面図であり、ねじ山１８は、軸平行断面においてタップ軸線Ｏ方向の両側に位置する一対の進み側フランク３０および追い側フランク３２が、それぞれ所定のフランク角α１、α２で傾斜させられた断面三角形状を成している。本実施例では、フランク角α１＝α２＝３０°で、全角α＝６０°の正三角形状を成しており、タップ軸線Ｏと直角な中心線Ｓを中心として対称的に設けられている。また、ねじ部１６の外周面であってタップ軸線Ｏまわりの８列の突出部２０の中間位置には、それぞれ潤滑油剤を供給するための油溝２８がタップ軸線Ｏと平行に設けられている。【００３０】
ここで、このような盛上げタップ１０は、被加工物に設けられた下穴内に食付き部２４側からねじ込まれることにより、突出部２０がその下穴の内壁表層部に食い込んで塑性変形させることによりめねじを盛上げ加工する。このような盛上げタップ１０によるタッピング加工においては、タッピング加工時に大きなトルク（回転抵抗）が発生し、加工条件によっては摩耗等により十分な工具寿命が得られない場合がある。【００３１】
これに対し、本実施例では、食付き部２４におけるねじ山１８の山頂部分に尖り山４０が設けられている。尖り山４０は、図４に示す軸平行断面においてタップ軸線Ｏ方向の両側に位置する一対の側面４２、４４が、それぞれ前記フランク角α１、α２よりも大きな傾斜角度β１、β２で傾斜させられた断面三角形状を成している。すなわち、一対の側面４２、４４は、図４に示す軸平行断面において直線で表されるとともに、ねじ山１８の山頂側の先端部４６で互いに交わるように設けられる。本実施例では、傾斜角度β１＝β２で、ねじ山１８の中心線Ｓを中心として対称形状を成すように設けられているとともに、それ等の傾斜角度β１、β２は４０°〜８０°の範囲内、好適には４５°〜７５°の範囲内で、適当に定められる。これにより、一対の側面４２、４４が互いに交わる先端部４６の内角（＝β１＋β２）は８０°〜１６０°の範囲内となり、好適には９０°〜１５０°の範囲内とされる。また、尖り山４０は、一対のフランク３０、３２に連続して設けられており、一対の側面４２、４４は、図４の軸平行断面においてそれぞれ一対のフランク３０、３２に折れ線状に直接連結されている。尖り山４０の先端部４６は、本実施例ではできるだけ角張るように形成されており、尖り山４０の一対の側面４２、４４とフランク３０、３２との連結部４８、５０も角張っている。【００３２】
一方、図５に示す完全山部２６のねじ山１８は、目的とするめねじのねじ溝の断面形状に対応する断面形状で、本実施例では図５の軸平行断面においてタップ軸線Ｏと平行な直線にて山頂５２が形成されている。すなわち、完全山部２６におけるねじ山１８の山頂５２は、タップ軸線Ｏを中心とする円筒形状を成している。【００３３】
前記食付き部２４のねじ山１８に設けられる尖り山４０は、例えば完全山部２６と同じ図５に示す断面形状のねじ山１８を加工した後、研削加工や切削加工によりねじ山１８の山頂５２の両側角部を面取加工することによって形成することができる。なお、転造加工によって図４に示す断面形状のねじ山１８を設けることもできるなど、種々の製造方法を採用できる。【００３４】
次に、本実施例の盛上げタップ１０を含む複数の試験品を用意し、材質が異なる２種類の被加工物に対してタッピング加工を行い、トルクおよびスラスト荷重を測定した結果を説明する。図６および図７は、ＪＩＳの規定によるＳ４５Ｃ〔機械構造用炭素鋼〕に対してタッピング加工を行った時の試験条件および試験結果で、図８および図９は、ＪＩＳの規定によるＳＣＭ４４０（３０ＨＲＣ）〔クロムモリブデン鋼〕に対してタッピング加工を行った時の試験条件および試験結果である。図７、図９における試験品の「山頂平（従来）」は、食付き部２４を含めてねじ山１８の山頂が前記図５に示す山頂５２のように平坦な従来の盛上げタップで、その他の試験品は前記盛上げタップ１０と同様に尖り山４０を備えており、傾斜角度β１＝β２であるとともに、その傾斜角度β１、β２を３５°〜８５°の範囲で変化させたものである。傾斜角度β１、β２が４５°、６０°、および７５°の試験品は本実施例品である。【００３５】
また、図７、図９における「トルク（Ｎ・ｃｍ）」および「スラスト荷重（Ｎ）」は、ＫＩＳＴＬＥＲ社製の型式５６９７Ａの測定装置を主軸に取り付けて測定したもので、図１０に示すようなデータから算出した値である。具体的には、「トルク（Ｎ・ｃｍ）」については略安定する図１０のＡ部の平均値で、「スラスト荷重（Ｎ）」については略安定する図１０のＢ部の平均値である。正転時の最大値や複数のピーク値の平均値などを用いることもできる。図７、図９における「トルク比（％）」および「スラスト荷重比（％）」は、「山頂平（従来）」の測定値を基準（１００％）として、その他の試験品におけるトルク、スラスト荷重の割合（百分率）を求めたもので、その値が小さい程トルクやスラスト荷重の低減効果が大きい。図１０における「正転」は、盛上げタップを被加工物の下穴内にねじ込んでタッピング加工を行う回転方向で、「逆転」は、盛上げタップを逆転させてめねじから抜き出す回転方向である。図１０のトルクの＋側は、盛上げタップを正転させる方向のトルクで、下穴内にねじ込む際の回転抵抗に対応し、逆転させて抜き出す際にも、被加工物の弾性復帰で回転抵抗が発生し、逆転方向（−側）のトルクが発生する。図１０のスラスト荷重の＋側は、盛上げタップを正転させて下穴内にねじ込む際に、リード送り（シンクロ送り）のためにタップ先端側へ押し込む方向の荷重で、盛上げタップ１０を逆転させて抜き出す際のスラスト荷重は略０である。【００３６】
図７および図９の試験結果において、食付き部２４におけるねじ山１８の山頂部分に尖り山４０を設けた試験品のうち、傾斜角度β１、β２が３５°の試験品は、何れもねじ山１８の山頂部分に欠損が生じて加工不可であった。傾斜角度β１、β２が４５°〜８５°の範囲の試験品については、何れの被加工物に対しても欠損を生じることなくタッピング加工を行うことが可能で、山頂が平坦な従来の試験品に比較して、トルクおよびスラスト荷重が何れも低減される。特に、傾斜角度β１、β２が４５°〜７５°の範囲の試験品、すなわち本実施例の盛上げタップ１０は、トルクおよびスラスト荷重の低減効果が大きい。【００３７】
このように、本実施例の盛上げタップ１０においては、食付き部２４におけるおねじのねじ山１８の山頂部分に断面三角形状の尖り山４０が設けられているため、ねじ山１８が被加工物の下穴の内壁表層部に食い込み易くなり、タッピング加工時のトルクおよびスラスト荷重が低減される。また、尖り山４０の一対の側面４２、４４は、ねじ山１８のフランク角α１、α２よりも大きな傾斜角度β１、β２で傾斜させられているため、その一対の側面４２、４４が互いに交わる先端部４６の角度（内角）は、フランク３０、３２をそのまま延長した場合よりも大きくなり、山頂部分の強度不足による欠損等が抑制される。すなわち、ねじ山１８の山頂部分の強度を確保しつつ、タッピング加工時のトルクおよびスラスト荷重を低減して、摩耗等による工具寿命の低下を抑制することができる。【００３８】
また、尖り山４０の一対の側面４２、４４の傾斜角度β１、β２が何れも４０°〜８０°の範囲内であるため、ねじ山１８の山頂部分の強度を確保しつつタッピング加工時のトルクを低減する、という効果が適切に得られる。すなわち、一対の側面４２、４４の傾斜角度β１、β２が４０°より小さいと、β１、β２＝３５°の試験品のように尖り山４０の先端部４６の強度が不足して欠損等が生じ易くなる。一方、一対の側面４２、４４の傾斜角度β１、β２が８０°を超えると、尖り山４０の存在に拘らずねじ山１８の山頂部分が軸平行断面において平坦（直線）に近くなり、β１、β２＝８５°の試験品のようにタッピング加工時のトルクやスラスト荷重を低減する効果が十分に得られなくなる。【００３９】
また、本実施例の盛上げタップ１０は、傾斜角度β１＝β２であり、尖り山４０の先端部４６の内角が８０°〜１６０°の範囲内であるため、ねじ山１８の山頂部分の強度を確保しつつタッピング加工時のトルクおよびスラスト荷重を低減する、という効果が適切に得られる。すなわち、尖り山４０の先端部４６の内角が８０°より小さいと、β１、β２＝３５°の試験品（先端部４６の内角＝７０°）のように先端部４６の強度が不足して欠損等が生じ易くなる。一方、先端部４６の内角が１６０°を超えると、尖り山４０自体が軸平行断面において平坦（直線）に近くなり、β１、β２＝８５°の試験品（先端部４６の内角＝１７０°）のようにタッピング加工時のトルクやスラスト荷重を低減する効果が十分に得られなくなる。【００４０】
また、本実施例の盛上げタップ１０は、尖り山４０の一対の側面４２、４４の傾斜角度β１、β２が互いに等しいため、ねじ山１８が被加工物の下穴の内壁表層部に食い込んでめねじを盛上げ加工する際に、内壁表層部の肉（金属）が尖り山４０を挟んで両側へ略均等に流動させられるようになり、タッピング加工時のトルクやスラスト荷重が適切に低減される。【００４１】
また、本実施例の盛上げタップ１０は、尖り山４０の一対の側面４２、４４が軸平行断面においてそれぞれ一対のフランク３０、３２に折れ線状に直接連結されており、尖り山４０が一対のフランク３０、３２に連続して設けられているため、例えば尖り山４０とフランク３０、３２との間に中間の傾斜角度の傾斜面等が設けられる場合に比較して、尖り山４０の先端部４６の内角を小さくでき、タッピング加工時のトルクやスラスト荷重を適切に低減できる。【００４２】
また、本実施例の盛上げタップ１０は、食付き部２４におけるねじ山１８にだけ尖り山４０が設けられており、完全山部２６のねじ山１８の山頂５２は、目的とするめねじの谷底形状に合わせて軸平行断面において平坦形状とされているため、食付き部２４の尖り山４０によりタッピング加工時のトルクやスラスト荷重を低減しつつ、完全山部２６によって目的とするめねじの谷底形状に適切に成形することができる。【００４３】
次に、本発明の他の実施例を説明する。なお、以下の実施例において前記実施例と実質的に共通する部分には同一の符号を付して詳しい説明を省略する。【００４４】
図１１は前記図４に対応する図で、食付き部２４におけるおねじのねじ山１８の軸平行断面図であり、前記実施例に比較して、ねじ山１８の山頂部分に設けられた尖り山６０が相違する。すなわち、この尖り山６０は、進み側フランク３０に連続して設けられた一方の側面６２の傾斜角度β１と、追い側フランク３２に連続して設けられた他方の側面６４の傾斜角度β２とが相違しており、先端部６６は中心線Ｓ上に位置しているものの、その中心線Ｓに対して非対称形状を成している。具体的には、側面６２側の傾斜角度β１が、側面６４側の傾斜角度β２よりも大きい。この場合、ねじ山１８が被加工物の下穴の内壁表層部に食い込んでめねじを盛上げ加工する際に、内壁表層部の肉（金属）が尖り山６０の両側へ流動する際の流動量が、側面６２側と側面６４側とで差が生じるようになり、タッピング加工時のスラスト荷重を調整することができる。なお、側面６２側の傾斜角度β１を、側面６４側の傾斜角度β２よりも小さくすることも可能である。【００４５】
図１２は前記図４に対応する図で、食付き部２４におけるおねじのねじ山１８の軸平行断面図であり、前記実施例に比較して、ねじ山１８の山頂部分に設けられた尖り山７０が相違する。すなわち、この尖り山７０は、前記尖り山４０と同様に傾斜角度β１＝β２の一対の側面４２、４４を備えているが、先端部４６の位置が、ねじ山１８の中心線Ｓから進み側フランク３０側、すなわちタップ軸線Ｏ方向におけるタップ先端側へずれている。この場合も、ねじ山１８が被加工物の下穴の内壁表層部に食い込んでめねじを盛上げ加工する際に、内壁表層部の肉（金属）が尖り山７０の両側へ流動する際の流動量が、側面４２側と側面４４側とで差が生じるようになり、タッピング加工時のスラスト荷重を調整することができる。なお、先端部４６の位置を、ねじ山１８の中心線Ｓから追い側フランク３２側へずらすこともできる。図１１の尖り山６０についても、同様に先端部６６の位置をねじ山１８の中心線Ｓからずらすように設けることができる。【００４６】
図１３は前記図４に対応する図で、食付き部２４におけるおねじのねじ山１８の軸平行断面図であり、ねじ山１８の山頂部付近、すなわち尖り山８０付近を拡大して示した図である。この尖り山８０は、基本的に前記実施例の尖り山４０と同様の断面形状を成しており、傾斜角度β１＝β２の一対の側面４２、４４を備えているが、先端部４６および連結部４８、５０には、図１３に示す軸平行断面においてそれぞれ所定の丸みが付けられている。この場合には、先端部４６および連結部４８、５０の強度が高くなって欠損等が抑制される。先端部４６の丸みが大きいと、被加工物の下穴の内壁表層部に食い込む際の抵抗が大きくなり、タッピングトルクが大きくなって工具寿命が低下する恐れがあるため、丸みの大きさ（半径や範囲など）は、所定の工具寿命が得られるように、先端部４６の内角等を考慮して定められる。丸みの大きさは、尖り山８０が軸平行断面において直線で表される一対の側面４２、４４を備えることを条件として定められる。他の尖り山６０、７０についても同様に、先端部６６、４６に丸みを設けたり、フランク３０、３２との連結部に丸みを設けたりすることができる。【００４７】
図１４は前記図４に対応する図で、食付き部２４におけるおねじのねじ山１８の軸平行断面図であり、ねじ山１８の山頂部付近、すなわち尖り山４０付近を拡大して示した図である。この実施例では、尖り山４０の一対の側面４２、４４とフランク３０、３２との間に、それぞれ傾斜面９２、９４が設けられている。傾斜面９２の傾斜角度は、フランク角α１よりも大きく且つ傾斜角度β１よりも小さく、進み側フランク３０から山頂側へ向かうに従って段階的に傾斜角度が大きくされている。傾斜面９４の傾斜角度は、フランク角α２よりも大きく且つ傾斜角度β２よりも小さく、追い側フランク３２から山頂側へ向かうに従って段階的に傾斜角度が大きくされている。他の実施例についても同様に、尖り山６０、７０、８０とフランク３０、３２との間に、中間の傾斜角度の傾斜面を設けることができる。２段以上で折れ曲がった傾斜面を設けることも可能である。【００４８】
図１５は前記図２に対応する図で、ねじ部１００を拡大して示した正面図である。このねじ部１００は、食付き部２４および完全山部２６を備えているとともに、食付き部２４におけるおねじのねじ山１８の山頂部分に尖り山４０が設けられている点は、前記ねじ部１６と同じであるが、完全山部２６におけるおねじのねじ山１８の山頂部分にも尖り山４０が設けられている。この場合は、盛上げ加工されためねじの溝底には、尖り山４０に対応するＶ字状の溝が形成されるため、必要に応じてタッピング加工後に切削加工や研削加工等により目的とする溝底形状に整形される。【００４９】
以上、本発明の実施例を図面に基づいて詳細に説明したが、これ等はあくまでも一実施形態であり、本発明は当業者の知識に基づいて種々の変更、改良を加えた態様で実施することができる。
【符号の説明】
【００５０】
１０：盛上げタップ    １６、１００：ねじ部（おねじ）    １８：ねじ山    ２０：突出部    ２２：逃げ部    ２４：食付き部    ２６：完全山部    ３０：進み側フランク    ３２：追い側フランク    ４０、６０、７０、８０：尖り山    ４２、４４、６２、６４：側面    ４６、６６：先端部    Ｏ：タップ軸線    α１、α２：フランク角    β１、β２：傾斜角度
【図１】
2019229932.tif 000003
【図２】
2019229932.tif 000004
【図３】
2019229932.tif 000005
【図４】
2019229932.tif 000006
【図５】
2019229932.tif 000007
【図６】
2019229932.tif 000008
【図７】
2019229932.tif 000009
【図８】
2019229932.tif 000010
【図９】
2019229932.tif 000011
【図１０】
2019229932.tif 000012
【図１１】
2019229932.tif 000013
【図１２】
2019229932.tif 000014
【図１３】
2019229932.tif 000015
【図１４】
2019229932.tif 000016
【図１５】
2019229932.tif 000017
【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
完全山部と、該完全山部に連続して設けられ且つ先端に向かうに従って小径となる食付き部とを有するとともに、それ等の完全山部および食付き部には突出部と逃げ部とが交互に形成されたおねじが設けられており、該おねじのねじ山は、形成すべきめねじの谷形状に対応した断面形状を成していて、該めねじに対応するリード角のつる巻き線に沿って設けられている盛上げタップにおいて、
前記おねじのねじ山は、タップ軸線と平行な断面である軸平行断面において該タップ軸線方向の両側に位置する一対のフランクが前記めねじの谷形状に対応する所定のフランク角で傾斜させられた断面三角形状を成しているとともに、
少なくとも前記食付き部における前記ねじ山の山頂部分には、前記軸平行断面において前記タップ軸線方向の両側に位置する一対の側面がそれぞれ前記フランク角よりも大きな傾斜角度で傾斜させられた断面三角形状の尖り山が設けられている
ことを特徴とする盛上げタップ。
【請求項２】
前記尖り山の前記一対の側面の傾斜角度は何れも４０°〜８０°の範囲内である
ことを特徴とする請求項１に記載の盛上げタップ。
【請求項３】
前記尖り山の前記一対の側面が互いに交わる先端部の内角は、８０°〜１６０°の範囲内である
ことを特徴とする請求項１または２に記載の盛上げタップ。
【請求項４】
前記尖り山の前記一対の側面の傾斜角度は互いに等しい
ことを特徴とする請求項１〜３の何れか１項に記載の盛上げタップ。
【請求項５】
前記尖り山の前記一対の側面はそれぞれ前記一対のフランクに直接連結されている
ことを特徴とする請求項１〜４の何れか１項に記載の盛上げタップ。
【請求項６】
前記尖り山の前記一対の側面が互いに交わる先端部には前記軸平行断面において丸みが付けられている
ことを特徴とする請求項１〜５の何れか１項に記載の盛上げタップ。
【請求項７】
前記尖り山は、前記食付き部における前記ねじ山にだけ設けられており、前記完全山部における前記ねじ山の山頂は、前記めねじの谷底形状に対応する形状とされている
ことを特徴とする請求項１〜６の何れか１項に記載の盛上げタップ。
【手続補正２】
【補正対象書類名】明細書
【補正対象項目名】０００２
【補正方法】変更
【補正の内容】
【０００２】
連続して設けられ且つ先端に向かうに従って小径となる食付き部とを有するとともに、それ等の完全山部および食付き部には突出部と逃げ部とが交互に形成されたおねじが設けられており、そのおねじのねじ山は、形成すべきめねじの谷形状に対応した断面形状を成していて、そのめねじに対応するリード角のつる巻き線に沿って設けられている盛上げタップにおいて、（ａ）前記おねじのねじ山は、タップ軸線と平行な断面である軸平行断面においてそのタップ軸線方向の両側に位置する一対のフランクが前記めねじの谷形状に対応する所定のフランク角で傾斜させられた断面三角形状を成しているとともに、（ｂ）少なくとも前記食付き部における前記ねじ山の山頂部分には、前記軸平行断面において前記タップ軸線方向の両側に位置する一対の側面がそれぞれ前記フランク角よりも大きな傾斜角度で傾斜させられた断面三角形状の尖り山が設けられていることを特徴とする。
［０００７］
第２発明は、第１発明の盛上げタップにおいて、前記尖り山の前記一対の側面の傾斜角度は何れも４０°〜８０°の範囲内であることを特徴とする。
［０００８］
第３発明は、第１発明または第２発明の盛上げタップにおいて、前記尖り山の前記一対の側面が互いに交わる先端部の内角は、８０°〜１６０°の範囲内であることを特徴とする。
［０００９］
第４発明は、第１発明〜第３発明の何れかの盛上げタップにおいて、前記尖り山の前記一対の側面の傾斜角度は互いに等しいことを特徴とする。
［００１０］
第５発明は、第１発明〜第４発明の何れかの盛上げタップにおいて、前記尖り山の前記一対の側面はそれぞれ前記一対のフランクに直接連結されていることを特徴とする。
［００１１］
第６発明は、第１発明〜第５発明の何れかの盛上げタップにおいて、前記尖り山の前記一対の側面が互いに交わる先端部には前記軸平行断面において丸みが付けられていることを特徴とする。
［００１２］
第７発明は、第１発明〜第６発明の何れかの盛上げタップにおいて、前記尖り山は、前記食付き部における前記ねじ山にだけ設けられており、前記完全山部における前記ねじ山の山頂は、前記めねじの谷底形状に対応する形状とされていることを特徴とする。
発明の効果
【国際調査報告】
2019229932.tif 000018
2019229932.tif 000019
2019229932.tif 000020
2019229932.tif 000021